(57)【要約】      （修正有）【課題】任意の位置に固定保持でき、安定してドアの開放位置を保持し、ドア面に受ける負荷を緩和して、ドアの蝶番などに加わる負荷を軽減し、ドアの損傷を防止できるドアストッパーを提供する。【解決手段】空中の二重パイプの外側パイプを中央にて分離し、可動軸上部パイプ１とし、片方を可動軸下部パイプ２とし、可動軸上部パイプと可動軸下部パイプを圧縮コイルバネ４で結合し、二重パイプの内側パイプの中芯パイプ３にスライドしながら可動軸上部パイプが圧縮コイルバネを圧縮した負荷を可動軸下部パイプに伝える機構を有する圧縮コイルバネ付二重パイプを垂直方向に利用したバネの弾力でドアと床面を静止固定させる。【選択図】図２
0003151091.tif 000002
【実用新案登録請求の範囲】
【請求項１】
中空の二重パイプの外側パイプを中央にて分離し、可動軸上部パイプ１とし、片方を可動軸下部パイプ２とし、可動軸上部パイプ１と可動軸下部パイプ２との中間を圧縮コイルバネ４で結合し、二重パイプの内側パイプの中芯パイプ３にスライドしながら可動軸上部パイプ１が圧縮コイルバネ４を圧縮した負荷を可動軸下部パイプ２に伝える機構を有する前記圧縮コイルバネ付二重パイプを垂直方向に利用したバネの弾力でドアと床面を静止固定させる構造を特徴としたドアストッパー。
【請求項２】
〔請求項１〕の前記圧縮コイルバネ付二重パイプを角パイプ状の外枠１０で覆い、前記外枠１０に設けた操作ハンドルスライド孔１６に前記圧縮コイルバネ付二重パイプに固定した操作ハンドル８を前記外枠１０に設けた操作ハンドルスライド孔１６に沿って上下することによりドアを床面に静止固定の調整ができることを特徴としたドアストッパー。
【請求項３】
〔請求項１〕の前記圧縮コイルバネ付二重パイプを角パイプ状の外枠２８で覆い、前記外枠２８内に挿入した板バネレバー２９と外枠２８内の底部に設けた持上げ圧縮コイルバネ２２により前記バネ付二重パイプの負荷を足踏み台座２３と板バネレバー２９の操作で固定解除できる構造を有することを特徴としたドアストッパー。
【請求項４】
〔請求項２〕の外枠１０および〔請求項３〕の外枠２８の背面に面ファスナーを装備して、ドアストッパーのドアの取り付けを面ファスナーに塗布された強粘着剤面の剥離紙を剥がして固着し、ドアストッパーのドアからの取り外し、取り付けを面ファスナーのオスマジック面とメスマジック面との分離、接合により実施することを特徴としたドアストッパー。
【考案の詳細な説明】
【技術分野】
【０００１】  本考案はドアを開放した時に任意の位置でドアを固定するドアストッパーに関する。
【背景技術】
【０００２】  従来、ドアを開放した時ドアを自動的に閉じたり、全開放した時は常にドアが定位置で静止させるクローザーや開放した位置で動かないように固定するストッパーなど色々と工夫されたドアストッパーがドアに取り付けられている。【０００３】  しかしながら、ドアが動かないようにしっかりと固定しているために、ドア面に強風や突風あるいは人為的な衝撃などが加わった場合ドアの開閉用に使用されている蝶番などに負荷がかかり破損や損傷などの事故が発生している。【０００４】  特に、一般的にはドアの蝶番から離れた下部でドアを固定されている場合が多いので、ドア面に力を受けた時は、ドアが固定されている部分の対角線上にある蝶番に一番大きな負荷が加わり、最も損傷しやすい傾向があり、風当たりの強い高層住宅の上層階ではドアの損傷事故が多く発生している。【０００５】  また、従来のドアストッパーはドアの床面近くの下部に取り付けられていることが多く、ドアストッパーを操作する場合はかなり腰を屈めて、操作しなければならないのでお年寄りや身体障害者には大きな負担となっている。
【考案の開示】
【考案が解決しようとする課題】
【０００６】  ドアに取り付けたストッパーがドアを開放した任意の位置に固定保持できて、強風や突風あるいは人為的な急な衝撃などの力を受けても安定してドアの開放位置を保持し、なおかつ、ドア面に受ける負荷を緩和して、ドアの蝶番などに加わる負荷を軽減し、ドアの損傷を防止できるドアストッパーを提供しようとするものである。【０００７】  また、ドアストッパーをドアに取り付ける高さ位置などに任意性を持たせて、ドアストッパーの使用者にドアストッパーの取り付け位置を選定できるようにし、ドアストッパーの取り付けた後も簡単な操作でドアストッパーを取り外しできるようにし、さらに、重量も軽くし持ち運びし易いドアストッパーを提供しようとするものである。
【課題を解決するための手段】
【０００８】  本考案のドアストッパーはドアと床面を固定する力を垂直方向のバネを介在した弾力性のある力で支える構造とし、バネの弾力がドアに負荷する力を緩和し、ドアに取り付けられた蝶番などの損傷を防止しするものである。【０００９】  また、本考案のドアストッパーは腰の高さぐらいの位置で操作できるものと、足先で操作できる二つのタイプのドアストッパーを提供するもので、それぞれの使用方法による利便性を提供するものである。【００１０】  本考案のドアストッパーは軽量で堅固な材質を使用して、持ち運びを容易にし、ドアストッパーの外枠の背面に強力粘着付の面ファスナーを装着して、使用者がドアの任意の高さ位置にドアストッパーを容易に取り付けられるようにし、取り付け後も、簡単に取り外すことができるドアストッパーを提供するものである。【００１１】  本考案のドアストッパーの主要部分の機能は変わらないが手動で調整操作するタイプ（以下手動ドアストッパーと称す）と足で操作するタイプ（以下足踏みドアストッパーと称す）の２種類のドアストッパーを提供するものでそれぞれを図面と共に詳細を説明する。【００１２】  本考案の手動ドアストッパーの詳細について図１、図２に示す。図１は本考案の手動ドアストッパーの正面図である。図２は本考案の手動ドアストッパーの外枠Ａ−Ａ断面図とドアストッパーの主要構造の側面図でドアに取り付けた例を示す図である。【００１３】  本考案の主要構造は中空の二重パイプを採用し、可動軸上部パイプ１と可動軸下部パイプ２を圧縮コイルバネ４で結合し、可動軸上部パイプ１と圧縮コイルバネ４が垂直上下運動のガイドとなる中芯パイプ３を組み合わせたものである。【００１４】  中芯パイプ３の下端部と可動軸下部パイプ２の上端部を係止金具１３で固定し、さらに、圧縮コイルバネ４の下端部についても前記係止金具１３で固定する。一方、可動軸上部パイプ１の下端部と圧縮コイルバネ４の上端部を固定リング１１および係止金具１２で固定し、可動軸上部パイプ１が中芯パイプ３に沿って下がることにより、圧縮コイルバネ４を圧縮し、可動軸下部パイプ２に負荷が加わり、可動軸下部パイプ２の下部先端に装着した足ゴム５が床面に接地して、ドアストッパーとして働く構造である。【００１５】  本考案の手動ドアストッパーの可動軸上部パイプ１の上端部に操作ハンドル８を取り付けるための軸固定用リング７を設置し、可動軸上部パイプ１と操作ハンドル８を係止金具９で前記軸固定用リング７に固定し、操作ハンドル８を右に回すことにより外枠１０に軸固定用リング７を接触させ可動軸上部パイプ１が固定できるようにする。【００１６】  本考案のドアストッパーは前述したように外枠１０に設けた操作ハンドル８を左に回して外枠１０と軸固定用リング７の接触を解除することにより、可動軸上部パイプと同時に圧縮コイルバネ４と可動軸下部パイプ２及びその下部先端に取り付けた足ゴム５も下方へ移動して接地するが、さらに操作ハンドル８を押し下げることにより、可動軸上部パイプ１に固定した圧縮コイルバネ４が圧縮され、足ゴム５が床面を圧縮コイルバネ４の圧縮弾力で押し付けることになり、圧縮コイルバネ４の弾力がドアのストッパーの働きをする。【００１７】  した���って、本考案の手動ドアストッパーをドアに取り付けてから操作ハンドル８を下に下げて、さらに操作ハンドル８を右に回してしっかりと固定することにより、ドアを開放した時の開放位置でドアを静止させるもので、手動ドアストッパーが床面を押し付ける力は可動軸上下部パイプ１，２の間に設けた圧縮コイルバネ４を介在してドアを床面に固定しているので、強風や突風や衝撃に対して圧縮コイルバネ４の弾力で緩和しながら、なおかつ、一定の負荷力を維持するものである。【００１８】  また、本考案の手動ドアストッパーの操作ハンドル８を左に回して外枠１０と可動軸固定リング７の接触を解除した場合、可動軸全体が外枠１０の底まで下がり、外枠１０の外枠底蓋キャップ１５に接触し、また、操作ハンドル８が下がり、操作ハンドルスライド孔１６の下部などを損傷させるので、外枠底蓋キャップ１５の上部に重なる位置に下部固定用リング１４を外枠１０の下部枠内に溶着固定し、可動軸下部パイプ２などを固定している係止金具１３を受け止められるようにして、可動軸全体が外枠１０から飛び出さないように配慮し、外枠底蓋キャップ１４や操作ハンドルスライド孔１６の損傷を防止している。【００１９】  本考案の手動ドアストッパーはドアストッパーの使用者がドアに簡単に取り付けられるように外枠１０の背面には強力な粘着剤付の面ファスナー１７ａおよび１７ｂを上下２箇所に装着して、使用者が無理をしないで屈める範囲内の任意の高さに取り付けられるように配慮し、なおかつ、簡単にドアから手動ドアストッパーを取外したり、取付けたりすることができるものを提供する。【００２０】  次に、本考案のドアストッパーは前述したようにドアに簡単に装着操作できる手動ドアストッパーを提供する以外に足を使って簡単に操作できるタイプの足踏みドアストッパーについても提供するもので、図３、図４に示す。図３は足踏みドアストッパーの正面図である。図４は足踏みドアストッパーの外枠Ｂ−Ｂ断面図と足踏みドアストッパーの主要構造の側面図でドアに取り付けた例を示すものである。【００２１】  本考案の足踏みドアストッパーの主要構造は前述の手動ドアストッパーと同じ構造であるが、前述の手動ドアストッパーより小型化し、足元で操作できる板バネレバー２９と足踏み台座２３など装備したドアストッパーを提供するもので、詳細を図面により説明する。【００２２】  本考案の足踏みドアストッパーの主要構造は可動軸上部パイプ１８、可動軸下部パイプ１９、中芯パイプ２０および圧縮コイルバネ２１の組み合わせた構造で、可動軸上部パイプ１８の下部先端部と圧縮コイルバネ２１の上部先端部のそれぞれを板バネレバーフック金具２５に係止金具２６で固定する。【００２３】  また、中芯パイプ２０の下部先端部と圧縮コイルバネ２１の下部先端部およびを可動軸下部パイプ１９の上部先端部の三点を接合固定する係止金具２７にて固定し、さらに、可動軸上下部パイプ１８，１９と圧縮コイルバネ２１など全体を持ち上げるための持上げ圧縮コイルバネ２２の上端部をも係止金具２７にて固定する。【００２４】  本考案の足踏みドアストッパーは足踏み台座２３を踏み込んで、可動軸上部パイプ２１を押し下げて圧縮コイルバネ２１を圧縮し、さらに��可動軸下部パイプ１９をも押し下げて、足踏みドアストッパー下部先端の足ゴム３０を床面に接地するが、持上げ圧縮コイルバネ２２も同時に圧縮される。【００２５】  本考案の足踏みドアストッパーの図３は前記足踏みドアストッパーが床面に接地負荷して、ドアを保持している状況を示すもので、足踏みドアストッパーの板バネレバー２９を外枠２８側に押して、板バネレバー２９を板バネレバーフック金具２５から外した時は、可動軸上下部パイプ１８，１９、中芯パイプおよび圧縮コイルバネ２１など全体が持上げ圧縮コイルバネ２２の圧縮からの開放により、外枠天蓋キャップ２４のすぐ下近辺まで押し上あげられる。【００２６】  本考案の足踏みドアストッパーは足踏み台座２３を踏み込むことにより、外枠２８内に板バネ挿入孔３４を通して入り込んでいる板バネレバー２９のフック部分を可動軸上部パイプ１８に固定された板バネレバーフック金具２５が押し退けて下へ移動し、圧縮コイルバネ２１が圧縮され、さらに、可動軸下部パイプ１９が下がり可動軸下部パイプ１９先端の足ゴム３０が接地して床面に負荷固定する。【００２７】  本考案の足踏みドアストッパーが前記のように負荷固定された時に足踏み台座２３から踏み込みを解除した場合板バネレバーフック金具２５と板バネレバー２９とが固定フックされて、踏み込みにより圧縮された圧縮コイルバネ２１の弾力が接地床面の負荷を維持し、ドアストッパーの働きをする。【００２８】  本考案の足踏みドアストッパーは前述したように上下する可動軸上下部パイプ１８、１９の中間の圧縮コイルバネ２１を介在して床面に垂直の負荷を与えてドアを固定する構造であるために圧縮コイルバネ２１の圧縮された弾力がドアを固定するので、手動ドアストッパーと同様に、ドアに強風や突風や衝撃による力を受けても圧縮コイルバネ２１の弾力がドアに受ける力を緩和すると共にドアを固定位置で保持することができる。【００２９】  また、本考案の足踏みドアストッパーの外枠２８の上下には可動軸上部パイプスライド孔３５を設けた天蓋キャップ２４と可動軸下部パイプスライド孔３６を設けた底蓋キャップ３３を装着し、外枠２８の内部を外部からの異物や塵埃などを防いでいるが、底蓋キャップ３３は持上げ圧縮コイルバネ２２を受け止める台座にもなっているので補強した材質を使用している。【００３０】  本考案の足踏みドアストッパーの外枠２８には板バネレバー２９を保護すると同時に足で乱暴に取り扱われても脱落損傷のないように板バネレバーカバー３１を取り付け金具３２で固着している。【００３１】  本考案の足踏みドアストッパーは手動ドアストッパーと同様に外枠２８の背面に強力な粘着剤付の面ファスナー３７を装着し、使用者が任意にドアの床面の近い部分に取り付け易く、また、取り外しも簡単にできるように配慮している。
【考案の効果】
【００３２】  本考案のドアストッパーは手動ドアストッパーについても、足踏みドアストッパーについても前述したようにドアを任意の開放位置で静止固定できるストッパーであるが、バネの圧縮された弾力によってドアを保持固定されているので、ドアに強風や突風あるいは人為的な急な衝撃を受けても、コイルバネの伸縮弾力によりドアに受けた力が緩和軽減される効果が生じて、ドアの蝶番やドアの付属部品などの損傷を防止できる。【００３３】  本考案のドアストッパーの手動ドアストッパーは可動軸パイプおよび外枠などの寸法を人の腰部付近に合わせた設計を選定することが可能であり、腰をかがめて操作する必要もなく、中高年の人や障害のある人（特に車椅子利用者）がほぼそのままの姿勢で、身体に負担を掛けないで操作できるドアストッパーである。【００３４】  また、本考案のドアストッパーの足踏みドアストッパーはドアに取り付け後は足だけの操作が可能で、ドアの開放位置での固定、解除など立ったままの姿勢で、足先の操作で行うために使用者の身体的な負担のかからないドアストッパーである。【００３５】  本考案の手動および足踏みドアストッパーはいずれも外枠の背面に強力粘着剤付マジックテープの面ファスナーを装着しており、強力粘着剤塗布面が剥離紙で保護されている面ファスナーの剥離紙を使用者が剥がして、ドアにドアストッパーを取り付け固定するので使用者がドア面の任意の位置を選定することが可能であり、取り付け後はマジックテープのオスメス間を剥がすことでドアストッパーの取り外しが簡単にできて、ドアストッパーの不要な時は一時的に取り外しておくこともできる。
【考案を実施するための最良の形態】
【００３６】  本考案の手動ドアストッパーおよび足踏みドアストッパーの最良の形態として、取扱易い寸法であること、軽量化できる材質を使用することであり、さらに、使用する圧縮コイルバネを圧縮したときにドアの開放位置で適正な負荷弾力で静止させることであり、以上については実施例により説明する。
【実施例１】
【００３７】  本考案の手動ドアストッパーの主要部分の材質はアルミを使用し、外枠１０は１．５ｍｍ厚さの３０ｍｍ角で長さ６００ｍｍの角パイプ状のもの使用し、可動軸上部および下部パイプ１、２は１．５ｍｍ厚さの外径１６ｍｍφで２３５ｍｍ長さとし、中芯パイプ３は１ｍｍ厚さの外径１２ｍｍφで２００ｍｍ長さとして、本考案の手動ストッパーの操作する高さ位置を考慮したものである。【００３８】  本考案の手動ドアストッパーの圧縮コイルバネ４は考案の重要な部分で、圧縮コイルバネ４の無荷重長さを２２０ｍｍとし、９０ｍｍ程度に圧縮した時には約６．５ｋｇの負荷がかかるような外径２０ｍｍφで線径１．８ｍｍφのばね鋼の線材を螺旋状にしたものを使用する。【００３９】  本考案の手動ドアストッパーの操作ハンドル８は手で握って操作しやすいように外周に凹凸を施した円径６０ｍｍφのＡＢＳ樹脂製とし、中心を可動軸上部パイプ１と固定用リング７を貫いて固定している係止金具９のネジ止めに直結し、操作ハンドル８の内径に当たる部分のみ施したネジにより操作ハンドル８を回して、締めたり、弛めたりの操作を行って、外枠１０に設けてある８ｍｍ巾の操作ハンドルスライド孔１６の任意の位置に移動固定することにより、ドアの開放位置での保持する弾力を調整することができる。【００４０】  本考案の手動ドアストッパーの可動軸下部パイプ２の下部先端にはネオプレンゴム製の成形品である足ゴム５をしっかりと強力接着剤で固着させて床面に接地した場合の滑り止め効果と静止状態の安定性の保持を目的としている。【００４１】  本考案の手動ドアストッパーは内部の主要構造部分に塵埃や異物が入らないように外枠１０の上下にゴム製の外枠天蓋キャップ６と外枠底蓋キャップ１５を取り付けているが外枠底蓋キャップ１５には可動軸下部パイプ２が貫通する１８ｍｍφの孔を設けている。【００４２】  本考案の手動ドアストッパーの操作ハンドル８を弛めた時は可動軸上下部パイプなど全体が外枠１０に設けた可動ハンドルスライド孔１６の下まで下がってしまうので、係止金具１３を２７ｍｍ長さのものを使用して、下部固定リング１４で可動軸上下部パイプなど全体を受け止めて静止した時操作ハンドル８と操作ハンドルスライド孔１６の下部に接触しないようにしている。【００４３】  本考案の手動ドアストッパーの外枠１０の背面に２５ｍｍ×６０ｍｍの長方形の面ファスナー１７ａ、１７ｂをそれぞれ上から５０ｍｍ、下から５０ｍｍの位置にオスマジック側の剥離紙をはがして貼り付けて、さらに、面ファスナーのメスマジックの剥離紙を剥がし、ドアの開閉側枠の人の腰付近の位置に手動ドアストッパーを取り付けて本考案を実施した。【００４４】  本考案の手動ドアストッパーの取り付け位置は操作ハンドル８を操作ハンドル孔１６の上部で固定した状態で、足ゴム５がドアの開閉側枠の下端から２０ｍｍ上がったところに設置してからドアを開放し、ドアの開放位置で手動ドアストッパーの操作ハンドル８を操作固定して圧縮コイルバネ４の安定した弾力でドアが固定静止し、強風や突風などの力に充分対処できるものであった。
【実施例２】
【００４５】  本考案の足踏みドアストッパーは手動ドアストッパーと同様に、主要部分の材質はアルミを使用し、外枠２８は１．５ｍｍ厚さの３０ｍｍ角で１８５ｍｍ長さの角パイプ状のものを使用し、可動軸上部および下部パイプ１８、１９は１．５ｍｍ厚さの外径１２ｍｍφで１４０ｍｍ長さとし、中芯パイプ２０は１．５ｍｍ厚さの外径８ｍｍφで１００ｍｍ長さとして、足踏み操作できるように短く設計したもので実施した。【００４６】  本考案の足踏みドアストッパーの圧縮コイルバネは、考案の重要部分を占めるもので、圧縮コイルバネ２１の無荷重寸法を９０ｍｍとし、５０ｍｍ程度に圧縮した時には約４ｋｇの負荷がかかるような外径２０ｍｍφで線径１．２ｍｍφのばね鋼の線材を螺旋状にしたものを使用する。【００４７】  本考案の足踏みドアストッパーの可動軸上部パイプ１８は外枠２８の外枠天蓋キャップ２４に設けた内径２０ｍｍφの可動軸上部パイプスライド孔３５を貫通して、上端にはゴム製の足踏み台座２３を取り付けて、前記足踏み台座を操作する。【００４８】  また、本考案の足踏みドアストッパーは足踏み台座２３を踏み込んで、可動軸上部パイプ１８を押し下げることにより、外枠２８内に挿入されている板バネレバー２９部分と板バネレバーフック金具２５とが圧縮コイルバネ２１が圧縮状態でフック固定されるようにしており、板バネレバー２９を外枠２８側に押せばフックが解除される機構で、足踏み台座２３と板バネレバー２９の操作でドアの固定静止が可能である。【００４９】  本考案の足踏みドアストッパーの板バネレバー２９は厚さ０．５ｍｍで幅１９ｍｍ長さ１８５ｍｍのバネ鋼の板をほぼ図４の側面の形状に曲げ加工仕上げたものを使用し、板バネレバー２９の下部５０ｍｍを残して上部を鋼板製の板バネカバー３１で保護するようにした。【００５０】  本考案の足踏みドアストッパーは板バネレバー２９を解除した時、可動軸パイプ１８、１９および負荷用の圧縮コイルバネ２１など全体を押し上げて床面から固定を外す作用する持上げ圧縮コイルバネ２２は、無荷重長さ７５ｍｍで外径１５ｍｍφ線径１ｍｍφのばね鋼の線材を螺旋状にしたものを使用し、足踏み台座２３の上げ下げに関与している。【００５１】  本考案の足踏みドアストッパーの外枠２８の背面に２５ｍｍ×１２０ｍｍの長方形の面ファスナー３７を天地中央一箇所にオスマジック側の剥離紙を剥がして面ファスナーを貼り付けて、さらに、ドアの開閉部下方の足元になる部分に面ファスナーのメスマジック側の剥離紙を剥がして足踏みドアストパーをドアに取り付けて本考案を実施した。【００５２】  本考案の足踏みストッパーをドア開閉部の下方の足元付近に設置し、足踏みドアストッパーをドアの開放位置で、足を使って操作し、ドアを固定静止させたところ圧縮コイルバネの弾力のある安定した負荷が得られ、強風や突風などの力にも充分対処できるものであった。
【産業上の利用可能性】
【００５３】  本考案の手動ドアストッパーおよび足踏みドアストッパーはいずれもドアを開放位置で固定静止させる力は、床面をばねの弾力を介して垂直に働く力であるために、ドアに受ける強風や突風などに対してはかなり緩和され、ドアの損傷を防止する。【００５４】  近年マンションビルなど高層化されたものが多く上層階でのドアの開放した場合の固定について、強風や突風などによる損傷などが多発しており、本考案のドアストッパーの使用が有効となる。【００５５】  本考案のドアストッパーは取り扱いが簡便で、ますます高齢化社会に移行していく中、あまり高齢者に負担をかけないで使用でき、環境に配慮した考案である。
【図面の簡単な説明】
【図１】本考案の手動ドアストッパーの正面図である。
【図２】本考案の手動ドアストッパーの外枠Ａ−Ａ断面図と手動ドアストッパーの主要構造の側面図でドアに取り付けた例を示す図である。
【図３】本考案の足踏みドアストッパーの正面図である。
【図４】本考案の足踏みドアストッパーの外枠Ｂ−Ｂ断面図と足踏みドアストッパーの主要構造の側面図でドアに取り付けた例を示す図である。
【符号の説明】
１．可動軸上部パイプ
２．可動軸下部パイプ
３．中芯パイプ（可動軸上部パイプ１および圧縮コイルバネ４のガイド）
４．圧縮コイルバネ
５．足ゴム（床面の滑り止め部材）
６．外枠天蓋キャップ
７．固定用リング（操作ハンドル８と可動軸上部パイプ１を接合するリング）
８．操作ハンドル
９．係止金具（操作ハンドル８と可動軸上部パイプ１を接合する金具）
１０．外枠
１１．固定リング（圧縮コイルバネ４と可動上部パイプ１を固定するリング）
１２．係止金具（圧縮コイルバネ４と圧縮コイルバネ４の固定リング１１と可動軸上部パ      イプ１の三点を接合する金具）
１３．係止金具（圧縮コイルバネ４と可動軸下部パイプ２および中芯パイプ３の三点を接      合固定する金具）
１４．下部固定リング（操作ハンドル８を弛めた時圧縮コイルバネ４を含む可動軸上下部      パイプ全体が下がり外枠１０の底から飛出さないための固定リング）
１５．外枠底蓋キャップ
１６．操作ハンドルスライド孔
１７ａ．上部面ファスナー
１７ｂ．下部面ファスナー
１８．可動軸上部パイプ
１９．可動軸下部パイプ
２０．中芯パイプ（可動軸上部パイプ１８および圧縮コイルバネ２１のガイド）
２１．圧縮コイルバネ
２２．持上げ圧縮コイルバネ（板バネレバー２９のフック解除時、可動軸上下部パイプ１      ８、１９と圧縮コイルバネ２１を持ち上げる圧縮コイルバネ）
２３．足踏み台座
２４．外枠天蓋キャップ
２５．板バネレバーフック金具
２６．係止金具（板バネレバーフック金具２５と圧縮コイルバネ２１および可動軸上部パ      イプ１８の三点を接合固定する金具）
２７．係止金具（持上げ圧縮コイルバネ２２と圧縮コイルバネ２１および可動軸下部パイ      プ１９の三点を接合固定する金具）
２８．外枠
２９．板バネレバー
３０．足ゴム（床面の滑り止め部材）
３１．板バネレバーカバー
３２．取付け用金具（外枠２８と板バネカバー３１を取り付ける金具）
３３．外枠底蓋キャップ（持上げ圧縮コイルバネ２２を受け止める台座兼用）
３４．板バネ挿入孔
３５．可動軸上部パイプスライド孔
３６．可動軸下部パイプスライド孔
３７．面ファスナー
【図１】
0003151091.tif 000003
【図２】
0003151091.tif 000004
【図３】
0003151091.tif 000005
【図４】
0003151091.tif 000006
【手続補正書】
【提出日】平成21年3月4日(2009.3.4)
【手続補正１】
【補正対象書類名】実用新案登録請求の範囲
【補正対象項目名】全文
【補正方法】変更
【補正の内容】
【実用新案登録請求の範囲】
【請求項１】
中空の二重パイプの外側パイプを中央にて分離し、可動軸上部パイプ１とし、片方を可動軸下部パイプ２とし、可動軸上部パイプ１と可動軸下部パイプ２との中間を圧縮コイルバネ４で結合し、二重パイプの内側パイプの中芯パイプ３にスライドしながら可動軸上部パイプ１が圧縮コイルバネ４を圧縮した負荷を可動軸下部パイプ２に伝える機構を有する前記圧縮コイルバネ付二重パイプを垂直方向に利用したバネの弾力でドアと床面を静止固定させる構造を特徴としたドアストッパー。
【請求項２】
前記圧縮コイルバネ付二重パイプを角パイプ状の外枠１０で覆い、前記外枠１０に設けた操作ハンドルスライド孔１６に前記圧縮コイルバネ付二重パイプに固定した操作ハンドル８を前記外枠１０に設けた操作ハンドルスライド孔１６に沿って上下することによりドアを床面に静止固定の調整ができることを特徴とした、請求項１に記載のドアストッパー。
【請求項３】
前記圧縮コイルバネ付二重パイプを角パイプ状の外枠２８で覆い、前記外枠２８内に挿入した板バネレバー２９と外枠２８内の底部に設けた持上げ圧縮コイルバネ２２により前記圧縮コイルバネ付二重パイプの負荷を足踏み台座２３と板バネレバー２９の操作で固定解除できる構造を有することを特徴とした、請求項１に記載のドアストッパー。
【請求項４】
前記外枠１０の背面に面ファスナーを装備して、ドアストッパーのドアの取り付けを面ファスナーに塗布された強粘着剤面の剥離紙を剥がして固着し、ドアストッパーのドアからの取り外し、取り付けを面ファスナーのオス面とメス面との分離、接合により実施することを特徴とした、請求項２に記載のドアストッパー。
【請求項５】
前記外枠２８の背面に面ファスナーを装備して、ドアストッパーのドアの取り付けを面ファスナーに塗布された強粘着剤面の剥離紙を剥がして固着し、ドアストッパーのドアからの取り外し、取り付けを面ファスナーのオス面とメス面との分離、接合により実施することを特徴とした、請求項３に記載のドアストッパー。
【手続補正２】
【補正対象書類名】明細書
【補正対象項目名】００３５
【補正方法】変更
【補正の内容】
【００３５】  本考案の手動および足踏みドアストッパーはいずれも外枠の背面に強力粘着剤付マジックテープ（登録商標）の面ファスナーを装着しており、強力粘着剤塗布面が剥離紙で保護されている面ファスナーの剥離紙を使用者が剥がして、ドアにドアストッパーを取り付け固定するので使用者がドア面の任意の位置を選定することが可能であり、取り付け後はマジックテープ（登録商標）のオスメス間を剥がすことでドアストッパーの取り外しが簡単にできて、ドアストッパーの不要な時は一時的に取り外しておくこともできる。